(57)【要約】【課題】２以上の個別カードに関連する統合カードを処理して、顧客に分かりやすく、かつ、統一的な情報提供を行う統合カード用端末装置を提供すること。【解決手段】制御部２と読取部３とタッチパネルディスプレイ４とを備える統合カード用端末装置１であって、制御部２は読取部３においてＩＤの記録された統合カードが読取られるとＩＤに対応する２以上の個別カードのサービスへのリンクをタッチパネルディスプレイ４に個別カードの表面デザインを模したアイコンとして表示する。顧客はどのカードの機能を利用するかの区別が容易になる。また、各々の個別カードに対応する個別カード別追加情報５２を保持し、アイコンに重畳させて表示する。顧客は、統一されたフォーマットでの表示により、理解が容易になる。【選択図】図１
2017004131.tif 000002
【特許請求の範囲】
【請求項１】
制御部と読取部とタッチパネルディスプレイとを備える端末装置であって、  
前記制御部は、前記読取部においてＩＤの記録された統合カードが読取られると、前記ＩＤに対応する２以上の個別カードのサービスへのリンクを、前記タッチパネルディスプレイにアイコンとして表示し、
前記アイコンは前記個別カードの表面デザインを模したものであることを特徴とする、統合カード用端末装置。
【請求項２】
各々の個別カードに対応する個別カード別追加情報を保持し、
前記制御部は、前記個別カード別追加情報をその個別カード別追加情報に対応する前記個別カードのアイコンに重畳させて表示することを特徴とする、請求項１に記載の統合カード用端末装置。
【請求項３】
前記個別カード別追加情報は、所持ポイント、予約日時、広告情報のうちの少なくとも１つを含むことを特徴とする、請求項２に記載の統合カード用端末装置。
【請求項４】
前記読取部は、前記統合カードの有するＲＦＩＤを非接触で読取ることを特徴とする、請求項１〜３のいずれか一項に記載の統合カード用端末装置。
【発明の詳細な説明】
【技術分野】
【０００１】
本発明は、２以上の個別カードに関連する統合カードを処理するための、統合カード用端末装置に関する。
【背景技術】
【０００２】
近年においては、商店、レンタルビデオ店、医院、スポーツクラブ、その他の多様な営業主体（以下「店舗等」と言う。）が、顧客１名につき1枚のカードを発行して顧客に貸与している。
【０００３】
顧客の立場で考えるに、多くの枚数のカードを持つこととなり、日常生活において持っている全てのカードを携帯することは困難である。
【０００４】
この点、特許文献1には、複数のカードの機能を統合してなる１枚のＩＣカードが開示されている。顧客は、１枚のＩＣカードのみを携帯して機能の統合された複数のカードの機能を利用することができる。
【０００５】
しかし、機能を統合するものであるため、例えばレンタルビデオ店のカードと医院のカードとでは、共通機能を有さず統合の実益がない。また、顧客にとって、「どのカードのどの機能を利用しているか」の把握が、必ずしも容易でない。
【先行技術文献】
【特許文献】
【０００６】
【特許文献１】特開２００４−３５５４８６号公報
【発明の概要】
【発明が解決しようとする課題】
【０００７】
本発明は、２以上の個別カードに関連する統合カードを処理して、顧客に分かりやすく、かつ、統一的な情報提供を行う統合カード用端末装置を提供することを課題とする。
【課題を解決するための手段】
【０００８】
統合カードのみでは情報が集約されるだけであり、顧客に分かりやすく統一的な情報提供を行うことが難しい。視覚的な情報発信の可能な統合カード用端末装置によって課題を解決する。
【０００９】
本発明の統合カード用端末装置は、
制御部と読取部とタッチパネルディスプレイとを備える端末装置であって、
前記制御部は、前記読取部においてＩＤの記録された統合カードが読取られると、前記ＩＤに対応する２以上の個別カードのサービスへのリンクを、前記タッチパネルディスプレイにアイコンとして表示し、
前記アイコンは前記個別カードの表面デザインを模したものであることを特徴とする。
【００１０】
この特徴によれば、顧客は、統合カードを読取らせるだけで、個別カードのサービスへのリンクを得ることができる。リンクとして表示されるアイコンが個別カードの表面デザインを模したものであるので、どのカードの機能を利用するかを容易に把握することができる。
ここで「個別カード」とは、顧客に貸与される各々のカードを言う。
【００１１】
個別カードのサービスは、リンク先において実行される。統合カードには、サービスに必要な情報を記録することを要しない。ＩＤのみが記録されていれば十分である。統合カードの盗難・紛失の際のリスクが小さい。
【００１２】
本発明の統合カード用端末装置は、
各々の個別カードに対応する個別カード別追加情報を保持し、
前記制御部は、前記個別カード別追加情報をその個別カード別追加情報に対応する前記個別カードのアイコンに重畳させて表示することを特徴とする。
【００１３】
この特徴によれば、例えば所持ポイントの個別カード別追加情報を、統一したフォーマットで表示することができる。顧客にとって分かりやすいものとなる。
【００１４】
本発明の統合カード用端末装置は、
前記個別カード別追加情報は、所持ポイント、予約日時、広告情報のうちの少なくとも１つを含むことを特徴とする。
【００１５】
この特徴によれば、多くの顧客が興味を持つような個別カード別追加情報を表示することができる。
【００１６】
本発明の統合カード用端末装置は、
前記読取部は、前記統合カードの有するＲＦＩＤを非接触で読取ることを特徴とする。
【００１７】
この特徴によれば、統合カードをかざすのみで統合カード用端末装置を利用することができる。統合カード用端末装置に統合カードを挿入しないので、回収し忘れてしまう事故が少なくなる。
【発明の効果】
【００１８】
本発明の統合カード用端末装置によれば、顧客に分かりやすく、かつ、統一的な情報提供を行うことができる。
【図面の簡単な説明】
【００１９】
【図１】図１は、統合カード用端末装置の構成を示す図である。
【図２】図２は、統合カード用端末装置のハードウエアを示す図である。
【図３】図３は、統合カード用端末装置の表示を示す図である。
【発明を実施するための形態】
【００２０】
図１は、統合カード用端末装置の構成を示す図である。統合カード用端末装置１は、制御部２、読取部３及びタッチパネルディスプレイを備え、ＩＤ・個別カード対応情報５１、  個別カード別追加情報５２及び個別カード別画像情報５３を保持している。
【００２１】
統合カード用端末装置１は、ネットワーク６に接続され、ネットワーク６を介して個別カードサーバ７とのデータ送受信を行うことができる。個別カードサーバ７は、個別カードに係るサービスを実行するサーバであり、各々の個別カード毎に設けられている。ただし、１台の個別カードサーバ７が２以上の個別カードのサービスを行っても、以下に述べる本発明の実施形態は問題なく動作する。
【００２２】
制御部２は、追加情報取得手段２１、表示手段２２及びナビゲーション手段２３を備えている。
【００２３】
読取部３は、顧客の所持する統合カードの情報を読取る。本実施例では、読取部３はＲＦＩＤリーダであるものとし、統合カードに記録されたＩＤを読取るものとする。
【００２４】
タッチパネルディスプレイ４は、情報を表示し、顧客による情報の選択（アイコンへのタッチ）を受信する。
【００２５】
ＩＤ・個別カード対応情報５１は、統合カードに記録されたＩＤをその統合カードを所有する顧客に貸与された個別カードに対応させるための情報である。例えば、第１フィールドにＩＤを、第２フィールド以降のフィールドに個別カードを有する可変長レコード形式のファイルであればよい。なお、ＩＤ・個別カード対応情報５１は、顧客に個別カードが貸与されあるいは顧客から個別カードが返却される都度講更新されて正確な情報であるものとする。かかる更新は容易であり、本発明とは別の目的のものであるので、説明を省略する。
【００２６】
個別カード別追加情報５２は、個別カードに対応させて表示される情報である。顧客による個別カードの使用によって変動する可変情報であるので、固定された情報を所持するのでなく、必要に応じて更新される。具体的な処理については後述する。
【００２７】
個別カード別画像情報５３は、個別カードを示すために表示する画像情報（イメージデータ）である。
【００２８】
図２は、統合カード用端末装置のハードウエアを示す図である。統合カード用端末装置１は、図示するように店頭や屋外への設置に適した形状であり、読取部３及びタッチパネルディスプレイ４が顧客の操作のために露出している。ＣＰＵを含む制御部２、並びに、ファイル形式のＩＤ・個別カード対応情報５１、  個別カード別追加情報５２及び個別カード別画像情報５３は、筐体内（非図示）に格納されている。
【００２９】
個別カードは、地域密着の店舗等によって発行されていることも多い。してみれば、統合カードを地域毎に発行し、その地域において利用者（顧客）が頻繁に訪れる公共性の高い場所や店舗等の店頭に統合カード用端末装置１を設置することで、多くの地域住民向けのサービスを提供することができる。
【００３０】
以下、顧客が統合カード用端末装置１を利用する場合の処理の例について説明する。
【００３１】
顧客は、統合カードを、読取部３にかざす。統合カードは、ＲＦＩＤチップを内蔵しており、ＲＦＩＤチップにはＩＤが記録されている。読取部３はＲＦＩＤリーダであり、記録されたＩＤを読み取って制御部２に送信する。
【００３２】
なお、統合カードがＲＦＩＤチップを内蔵し、読取部３がＲＦＩＤリーダであることは必ずしも必要ではない。統合カードに記録されたＩＤを統合カード用端末装置１が読取ることができればよく、統合カードにＩＤを磁気的に記録して統合カード用端末装置１に挿入された統合カードの磁気情報を読取る、統合カードにＩＤをバーコード印刷して統合カード用端末装置のバーコードリーダが読取る、その他適宜な方法によることができる。
【００３３】
ＩＤを受信した制御部２は、追加情報取得手段２１を起動する。追加情報取得手段２１は、ＩＤ・個別カード対応情報５１を参照して、受信したＩＤに対応する個別カードをリストアップする。追加情報取得手段は、リストアップされた個別カードに係る個別カードサーバ７に追加情報を要求し、受信する。受信した追加情報を、個別カード別追加情報５２として、いずれの個別カードに関するものであるかを含めて保存する。
【００３４】
ここで、個別カード別追加情報５２は、後述の表示において、個別カードのアイコンに重畳して表示される情報である。いかなる情報を個別カード別追加情報とするかは、統合カード用端末装置１の運用（訴求する付加価値）に依存して定めてよい。（店舗等の）予約日時、（個別カードの）所持ポイント、（個別カード提供店舗の）広告情報が、代表的な個個別カード別追加情報である。これらのうちの少なくとも１つを個別カード別追加情報５２に含むことが好ましい。
【００３５】
制御部２は、次に、表示手段２２を起動する。図３は、統合カード用端末装置の表示を示す図である。表示手段２２は、個別カード別画像情報５３に基づいて個別カード別画像表示４１を行う。図においては異なる図形でカードを区別しているが、実際には模様・色彩等が示され、より具体的である。個別カード別画像表示４１は、アイコンであり、顧客がタッチすることでその個別カードの個別カードサーバ７のホームページが表示されるものである。個別カード別追加情報５２を有する個別カードについて、表示手段２２は、個別カード別追加情報を重畳させて表示する。
【００３６】
個別カード別追加情報表示としては、予約日時情報４２ａ、所持ポイント情報４２ｂ、広告情報４２ｃ、その他が考えられる。
【００３７】
顧客は、図３に示す一覧表示により、数多くのカードに関する情報を理解することが容易となる。また、予約の日時、所有するポイント等、特に興味を持っている情報があるならば、画面上の指定ボタン４３にタッチしてその情報を優先表示させることができる。図３においては個別カードの表示順を特に制御していないが、例えば予約情報を優先させるのであれば、予約日時が最近のものを上位（例えば画面最上行が左から順に上位、２行目が左から順にその次の順位とする）に、所持ポイント情報を優先させるのであれば所持ポイントの多いものを上位に表示することができる。例えば、図３の左下に示された「予約表示」「ポイント」のボタンによって、顧客が個別カードの表示順を指定できるようにしてもよい。
【００３８】
個別カード別画像表示４１が、カードの画像であるので、顧客の視覚的な理解が容易である。また、個別カード別追加情報がカードの画像に重畳されるので、例えば、医院の予約日時であることなどが容易に理解できる。
【００３９】
ここで、個別カード別追加情報表示は、個別カード別画像表示４１を隠蔽しないものであることが好ましい。例えば、透明度を有する画像とすることができる。また、各々の個別カード別画像表示４１の特徴的部分を除いた部分に表示してもよい。（図３において図形が特徴的部分であるとし、他の部分に表示する例を示す。）
【００４０】
顧客がアイコンである個別カード別画像表示４１にタッチすると、制御部２は、ナビゲーション手段２３を起動する。ナビゲーション手段２３は、タッチされた個別カード別画像表示４１に係る個別カードの個別カードサーバ７のホームページに、ＵＲＬ等を用いて接続し、タッチパネルディスプレイ４に表示する。この際、個別カード別追加情報表示が行われている場合にはその表示に係る情報を掲載したホームページのＵＲＬを用いて利便性を高めてもよい。
【産業上の利用可能性】
【００４１】
２以上の個別カードに関連する統合カードを処理して、顧客に分かりやすく、かつ、統一的な情報提供を行う統合カード用端末装置である。多くの店舗等、商店街その他の店舗等集合体による利用が考えられる。また、地域の店舗等を統合した住民サービスとしての利用も考えられる。
【符号の説明】
【００４２】
１    統合カード用端末装置
２    制御部
２１  追加情報取得手段
２２  表示手段
２３  ナビゲーション手段
３    読取部
４    タッチパネルディスプレイ
４１  個別カード別画像表示
４２  個別カード別追加情報表示
５１  ＩＤ・個別カード対応情報
５２  個別カード別追加情報
５３  個別カード別画像情報
６    ネットワーク
７    個別カードサーバ
【図１】
2017004131.tif 000003
【図２】
2017004131.tif 000004
【図３】
2017004131.tif 000005